(57)【要約】      （修正有）【課題】弾性伸縮可能な設計で、人体工学に符号した構造設計であり、車移動中もしくは狭い空間においても安定使用ができ、使用中の尿や使用後の異臭の外漏れを有効的に防ぐ使い捨て尿取り器を提供する。【解決手段】使い捨て尿取り器は、一つの上向き開口で若干傾斜をなす尿取り部10、尿取り部10と一体に相連なるキャッチ部12及び尿取り部10とキャッチ部12間に位置する伸縮首部14により構成され、尿取り部10の口及び伸縮首部14は、女性の外生殖器部位に密着し、同時に尿取り部10口箇所の吸水可能な包み込み材料は、密着の心地良さを高め、尿吸収を強化、尿の外漏れを防止する。キャッチ部12内側には適量の高分子吸収体30を充填し、下方向の毛細管作用のある棉管120を延伸させて、尿をキャッチ部12で吸収させる。尿取り器の縁には可動の粘着テープ40を設け、尿取り器使用完了時に、尿取り部10を折り曲げ折り畳み、粘着テープ40で固定して廃棄する。【選択図】図１
2007282665.tif 000002
【特許請求の範囲】
【請求項１】
主に、一つの上向き開口で若干傾斜している尿取り部、尿取り部と一体に相連なる管状の尿キャッチ部、及び尿取り部とキャッチ部間に位置する鋸歯状の弾性を持つ伸縮首部により構成され、その尿取り部口は瓜形状形態に設計され、即ち、尿取り部口の一側辺は楕円形弧線を、もう一方側辺は錐状弧線を呈しており、これにより、女性の外生殖器部位を完全に被冠することができ、また、尿取り部は若干傾斜を呈する構造であり、女性の外生殖器位置に適当で、キャッチ部は重力を受けて垂直となることを特徴とする使い捨て尿取り器。
【請求項２】
請求項１記載の使い捨て尿取り器において、尿取り部、キャッチ部及び弾性伸縮首部は一体成形にて作製されることを特徴とする使い捨て尿取り器。
【請求項３】
請求項１記載の使い捨て尿取り器において、キャッチ部は長管状を呈し、防水、防漏機能を持つ材質により作製されることを特徴とする使い捨て尿取り器。
【請求項４】
請求項３記載の使い捨て尿取り器において、キャッチ部内に予め適量の高分子吸収体を充填し、流入される尿を吸収することを特徴とする使い捨て尿取り器。
【請求項５】
請求項１もしくは請求項４記載の使い捨て尿取り器において、管状のキャッチ部上縁からキャッチ部の下層位置まで、漏斗状を呈する棉管を延伸させることを特徴とする使い捨て尿取り器。
【請求項６】
請求項５記載の使い捨て尿取り器において、棉管は、棉状紙のりにより製作されると同時に毛細管作用機能を持っていることを特徴とする使い捨て尿取り器。
【請求項７】
請求項１記載の使い捨て尿取り器において、尿取り器の側面縁に可動式粘着テープを設け、その上端には固定端を、下端には可動端を形成し、固定端に相対する可動端は剥がせるようになっており、もう一方反対側面に粘着できることを特徴とする使い捨て尿取り器。
【請求項８】
請求項１もしくは請求項７記載の使い捨て尿取り器において、尿取り部口の錐状弧線畳み込み位置に予めプレスされている折目に沿って、錐状弧線を内側に押して畳み込むと、角を内側に折曲げた三角形が形成され、錐状弧線を押し込んで角を内側に折曲げた三角形を形成した後、尿取り部口の残りの楕円形弧線部分を押して平らにすると、尿取り部口は密封直線形状となり、錐状弧線を押して折り畳んで形成した角を内側に折曲げた三角形の弧形底縁は、尿取り部口を折り畳んで平らにすると、尿取り器のキャッチ部上方の伸縮首部の開口を調度密封し、また、尿取り部口は、押して平らにして口を塞ぐと直線となり、その後、その尿取り部を伸縮首部に沿って尿取り部側面方向に折り返し、並びに粘着テープで粘着固定することを特徴とする使い捨て尿取り器。
【請求項９】
請求項１記載の使い捨て尿取り器において、使用においては、尿取り部口の楕円形弧線の一側面を前方位置に、錐状弧線の一側面を後方位置にし、後側位置にある錐状弧線は、調度女性の肛門前に位置している為、細菌感染を防ぐことを特徴とする使い捨て尿取り器。
【請求項１０】
請求項１記載の使い捨て尿取り器において、尿取り部口縁には、柔軟及び吸水特性を持つ包み込みネット層を設けることも可能であり、これにより密着時の心地良さを高め、また、尿取り部後縁の錐状弧線箇所から尿取り部の開口には、内側下向きに延伸する遮覆層を設け、尿取り器使用完了後、尿取り部の錐状弧線に沿って押して畳み込み平らにすると形成される角を内側に折曲げた三角形の底部の弧形底縁表面は、包み込み材料である遮覆層を覆う為、尿取り部キャッチ部上方の傾斜角度を呈する伸縮首部の開口を密封、延伸した遮覆層は吸水特性を有しており、伸縮首部の開口から外漏れする尿を有効的に吸収且つ阻止できることを特徴とする使い捨て尿取り器。
【発明の詳細な説明】
【技術分野】
【０００１】
本発明の使い捨て尿取り器は、主に、戸外もしくは車内においてトイレに行けない時に提供する、人体工学に符合、簡便で使用後即刻廃棄できる尿取り器である。
【背景技術】
【０００２】
人々の旅行に出る機会が日々増えるに従い、交通ラッシュも増加、休日もしくは交通の混雑時間帯には、運転手や乗客が往々にしてトイレに行くことができず長時間我慢を強いられる苦しみを感じなければならない。このような状況が高速道路の混雑ルートで発生することは非常によくあり、女性の特殊な生理構造及び頻尿の特質から、排尿が遅れ長時間我慢していた後には、尿道炎や膀胱炎等症状にかかってしまうこともある。尿を我慢する状況は、郊外においてトイレが無い場合にも起こり、女性は恥ずかしくて辺りで排尿することができずに我慢することになる。原因を追究すると、使用できるトイレがない、また適当な設備や方法がないという状況の下、女性に安心して用を足させることができない。
【０００３】
一種の尿取り器は、特許文献１は、防水の厚紙で製作した尿取り器を提案したもので、主構造とする一つの長い垂直板、及び下方の水平延伸板により構成され、その二つは90度垂直を成し、且つ、その組み合わせた板面の縁は、内側に垂直に畳み込んで、尿を溜められる内部空間を形成、同時にその垂直板と水平板により構成される内部空間に尿を吸収する為の吸着剤を補う。
【０００４】
【特許文献１】台湾実用新案第０９２２１８４４６号明細書
【０００５】
しかしながら、前述の従来特許前案において提案した、紙板を畳んで成形する尿取り器の設計には若干の欠点があり、特に女性が実際に使用する需要に符合しない。その欠点は、次のとおりである。
1.従来技術は、男性と女性の生理に差異、及び尿排出状況を考慮して、垂直紙板構造を設計しており、即ち、女性が使用する場合は、長い方の垂直紙板を平らにして、女性が屈んで排尿できるようにした。しかし、この設計では、車中の女性にとっては、屈んで使用することは全くできず、且つ、女性の戸外におけるトイレの実際使用状況を考慮すると、屈む等、比較的開放的な姿勢で用を足すのは非常に受け入れ難く、よって、従来技術は実際のラッシュ時における女性のトイレ使用需要を満足することはできない。
2.従来技術においては、垂直紙板及び水平紙板の側縁を折り曲げて直立させ、尿漏れを防いでいるが、従来の尿取り器を使用する場合、男性女性の生殖器間に一定距離がある為、尿の偏りや外漏れの発生を確実に抑えることができない。
3.従来技術の垂直紙板尿取り器は、開放式設計であり、使用完了後、紙箱内に取った尿は、折り畳んで捨てる過程において漏れが発生し易く、且つその開放式設計の為に異臭が発生し易く、吸着剤内に除臭剤等を添加してはいるが、異臭の外漏れを確実に防ぐことは難しく、空気品質に影響する。
【発明の開示】
【発明が解決しようとする課題】
【０００６】
本発明は使い捨て尿取り器を提案する。それは、一体式設計であり、一つの上向き開口で若干傾斜する尿取り部10、尿取り部10と一体に相連なるキャッチ部12、及び尿取り部10とキャッチ部12間に位置する鋸歯状の伸縮首部14により構成され、その内、尿取り部10の口は瓜形状に設計され、その縁は、ひっくり返せる円角縁に設計されており、これにより、女性の外生殖器部位を完全に被冠、並びに排尿過程において、尿の外漏れを防ぐ。この他、円角縁100の設計は、女性の生殖器部位に安定密着、当該部位の皮膚が傷付くのを防止、使用における安全性を確保する。
【０００７】
キャッチ部12内側には、予め適量の高分子吸収体30を充填、同時にキャッチ部12上縁からキャッチ部12の下層位置まで、下向きで毛細管作用を具える棉管120を延伸させており、尿の引入過程において、尿がキャッチ部12下層の高分子吸収体30に直接流入するよう促し、尿量が非常に多い時キャッチ部12上層に集中しすぎて、上層の高分子吸収体30による吸収が間に合わず尿取り部10から漏れ出す状況を避けられ、尿はキャッチ部12内の高分子吸収体30によって十分に確実に吸収される。
【０００８】
本発明尿取り器の側面縁には、可動の粘着テープ40を設け、尿取り器使用完了後、尿取り部10の一側面に形成した独特の錐状弧線104を押し込み、並びに、尿取り部10口を折り畳み密封、平らにし、次に尿取り部10の側辺方向に折り曲げた後、一端を固定端400、もう一端を可動端402とする粘着テープ40で固着して廃棄する。また、ここで取り上げるべきなのは、尿取り部10の錐状弧線104縁を押し込んで折り畳んだ後、角を内側に折曲げた三角形が形成され、その折り曲げた角の弧形底縁108は、尿取り部10口を折り畳んで平らにした時に、調度尿取り部10キャッチ部12上の伸縮首部14の開口110を密封し、尿の戻りを阻止する。尿量が比較的多い使用者の為に、戻って外漏れする尿の有効的な防止機能を持つ設計を提案する。
【０００９】
本発明の尿取り部10には、一定角度の傾斜を持たせ、同時に尿取り部10とキャッチ部12間に鋸歯形状の伸縮首部14を設けることにより、管状のキャッチ部12は相対する尿取り部10に対して弾性調節機能を持ち、管状のキャッチ部12は、重力作用を受けて始終垂直角度を保ち、並びに尿取り部10に対して可動する角度調整を行うことができるので、使用者は揺れる状況の下でも、尿取り器を確実に安定使用できる。
【００１０】
前述の設計により、本発明は下記の長所を有する。
1.人体工学に符合する設計の尿取り部10の口は、女性の外生殖器部位に密着、女性の排出する尿を有効的に収集、漏れを防止する。
2.本発明の尿取り部10は、女性の外生殖器部位に密着させ、よって走行中の車内や狭い空間であっても簡便に操作ができ、本発明の体積が比較的小さく生殖器に密着するので、従来技術が採用する屈む姿勢での使用に比べて更に隠密となる。
3.本発明の尿取り部10は、若干傾斜させた設計であり、キャッチ部12は垂直管状を呈し、その間に相連なる鋸歯状の伸縮首部14を設けている為、走行する車内で使用する場合でも、傾斜している尿取り部10は女性の生理構造に基づいて完全に外生殖器部位に密着、垂直のキャッチ部12は重力によって下垂し、女性が手に持って使用するのに便利である他、始終垂直度を保持することが可能で、前述の伸縮首部14の設計に伴い、車内での揺れに対してもキャッチ部12は垂直角度を保つことができ、また、伸縮首部14は揺れで発生する運動エネルギーを吸収、尿取り部10は使用時に生殖器位置を離脱することなく、並びに、女性の使用者が手にしているキャッチ部12も離脱することなく、更に安全に安定して使用できる。
4.本発明の尿取り器の使用完了後は、尿取り部10の口を巧妙に折り畳んで平らにし、並びに折り畳んで粘着定位することができる為、廃棄が便利であるのと同時に、尿異臭の外漏れ、車内の空気品質悪化を有効的に回避できる。
5.本発明は、女性の特殊生理構造に対して設計された人体工学に符合する構造であるが、男性でも本発明の設計を利用でき、臨時の必要に応じて便利に用を足すことができ、女性の使用と同様の便利性を持っており、よって、本発明は、女性の使用に限らず、男性が使用する場合においても簡便且つ使用後即刻廃棄できる効果を達成できる。
【００１１】
また、本発明は、尿取り部10の円角を呈しひっくり返せる尿取り部縁100箇所は、例えば不織布表層等の異なる材質の包み込み材料である、包み込みネット層1001を増設し、また、その包み込みネット層1001は、尿取り部10縁を包み込む他、尿取り部縁100後縁の錐状弧線104箇所から内側、下側に向けて底縁開口110まで延伸する、遮覆層1002を形成、尿取り部縁100を包み込む包み込みネット層1001により、女性の外生殖器部位に密着する時の心地良さと吸水性を高めるのと同時に、尿取り部10使用後は、尿取り部10の錐状弧線104縁に沿って押し込み折り畳み、包み込みネット層1001を内側に折曲げた角の弧形底縁108が形成する遮覆層1002は、尿取り部10口を折り畳んで平らにし尿取り器のキャッチ部12上の伸縮首部14開口110を密封する場合、元来設計である尿の外漏れ機能を持つ他、その延伸した遮覆層1002の吸水特性により、開口110から外漏れする尿の有効的な吸収と阻止を行う。これにより、本発明は、前述した高分子吸収体30を利用し、尿を吸収、凝結させる機能の他、元来設計である、角を内側に折曲げた弧形底縁108を更に用いて、開口110を制御、並びに、尿取り部10を折り畳み平らにした後、粘着テープ40をひっくり返して定位させ、尿の外漏れを防ぎ、同時に、包み込みネット層1001及び遮覆層1002により外漏れするいかなる尿も吸収且つ阻止するという特徴を持ち、よって本発明は、三つの尿防御保護層を形成、尿の外漏れを確実に防ぎ、使用においては良心的で安全性を更に高める設計である。
【課題を解決するための手段】
【００１２】
請求項１の発明は、主に、一つの上向き開口で若干傾斜している尿取り部、尿取り部と一体に相連なる管状の尿キャッチ部、及び尿取り部とキャッチ部間に位置する鋸歯状の弾性を持つ伸縮首部により構成され、その尿取り部口は瓜形状形態に設計され、即ち、尿取り部口の一側辺は楕円形弧線を、もう一方側辺は錐状弧線を呈しており、これにより、女性の外生殖器部位を完全に被冠することができ、また、尿取り部は若干傾斜を呈する構造であり、女性の外生殖器位置に適当で、キャッチ部は重力を受けて垂直となることを特徴とする使い捨て尿取り器、としている。
請求項２の発明は、請求項１記載の使い捨て尿取り器において、尿取り部、キャッチ部及び弾性伸縮首部は一体成形にて作製されることを特徴とする使い捨て尿取り器としている。
請求項３の発明は、請求項１記載の使い捨て尿取り器において、キャッチ部は長管状を呈し、防水、防漏機能を持つ材質により作製されることを特徴とする使い捨て尿取り器としている。
請求項４の発明は、請求項３記載の使い捨て尿取り器において、キャッチ部内に予め適量の高分子吸収体を充填し、流入される尿を吸収することを特徴とする使い捨て尿取り器としている。
請求項５の発明は、請求項１もしくは請求項４記載の使い捨て尿取り器において、管状のキャッチ部上縁からキャッチ部の下層位置まで、漏斗状を呈する棉管を延伸させることを特徴とする使い捨て尿取り器としている。
請求項６の発明は、請求項５記載の使い捨て尿取り器において、棉管は、棉状紙のりにより製作されると同時に毛細管作用機能を持っていることを特徴とする使い捨て尿取り器としている。
請求項７の発明は、請求項１記載の使い捨て尿取り器において、尿取り器の側面縁に可動式粘着テープを設け、その上端には固定端を、下端には可動端を形成し、固定端に相対する可動端は剥がせるようになっており、もう一方反対側面に粘着できることを特徴とする使い捨て尿取り器としている。
請求項８の発明は、請求項１もしくは請求項７記載の使い捨て尿取り器において、尿取り部口の錐状弧線畳み込み位置に予めプレスされている折目に沿って、錐状弧線を内側に押して畳み込むと、角を内側に折曲げた三角形が形成され、錐状弧線を押し込んで角を内側に折曲げた三角形を形成した後、尿取り部口の残りの楕円形弧線部分を押して平らにすると、尿取り部口は密封直線形状となり、錐状弧線を押して折り畳んで形成した角を内側に折曲げた三角形の弧形底縁は、尿取り部口を折り畳んで平らにすると、尿取り器のキャッチ部上方の伸縮首部の開口を調度密封し、また、尿取り部口は、押して平らにして口を塞ぐと直線となり、その後、その尿取り部を伸縮首部に沿って尿取り部側面方向に折り返し、並びに粘着テープで粘着固定することを特徴とする使い捨て尿取り器としている。
請求項９の発明は、請求項１記載の使い捨て尿取り器において、使用においては、尿取り部口の楕円形弧線の一側面を前方位置に、錐状弧線の一側面を後方位置にし、後側位置にある錐状弧線は、調度女性の肛門前に位置している為、細菌感染を防ぐことを特徴とする使い捨て尿取り器としている。
請求項１０の発明は、請求項１記載の使い捨て尿取り器において、尿取り部口縁には、柔軟及び吸水特性を持つ包み込みネット層を設けることも可能であり、これにより密着時の心地良さを高め、また、尿取り部後縁の錐状弧線箇所から尿取り部の開口には、内側下向きに延伸する遮覆層を設け、尿取り器使用完了後、尿取り部の錐状弧線に沿って押して畳み込み平らにすると形成される角を内側に折曲げた三角形の底部の弧形底縁表面は、包み込み材料である遮覆層を覆う為、尿取り部キャッチ部上方の傾斜角度を呈する伸縮首部の開口を密封、延伸した遮覆層は吸水特性を有しており、伸縮首部の開口から外漏れする尿を有効的に吸収且つ阻止できることを特徴とする使い捨て尿取り器としている。
【発明の効果】
【００１３】
本発明の尿取り器は、弾性伸縮可能な設計で、並びに、人体工学に符号した尿取り部10とキャッチ部12等形状を持つ構造設計であり、車移動中もしくは狭い空間においても安定使用ができると同時に、使用中における尿や使用後の異臭の外漏れを有効的に防ぎ、操作は簡易で便利である特徴を持つ。また、本発明の尿取り器は、女性の使用に限らず、男性の生理構造についても適用できる設計であり、郊外もしくは車上において臨時に便利に用が足せる一種の使い捨て尿取り器を提案する。
【発明を実施するための最良の形態】
【００１４】
図１〜図５に示すとおり、本発明の提案する使い捨て尿取り器は、特に一体式設計であり、一つの上向き開口で若干斜めになっている尿取り部10、尿取り部10と一体に相連なる管状の尿キャッチ部12、及び尿取り部10とキャッチ部12間に位置する鋸歯状の伸縮首部14により構成され、その内、尿取り部10口は瓜形状に設計され、図5に示すとおり、尿取り部10口の一側辺は楕円形弧線102を、もう一方側辺は錐状弧線104を呈し、また、その尿取り部10口の尿取り部縁100部分はひっくり返せる円角縁に設計されており、これにより、女性の外生殖器部位を完全に被冠、並びに排尿過程において、尿の外漏れを防ぐ。この他、円角縁100の設計は、女性の生殖器部位に安定密着、当該部位の皮膚が傷付くのを避け、使用における安全性を確保する。また、ここで取り上げるべく、瓜形状を呈する尿取り部10口は、実際に使用する場合、尿取り部10口の楕円形弧線102である一側面を前方に、錐状弧線104の一側面を後方にし、これは図5に示すとおりであり、且つ、後ろ側の錐状弧線104は、調度女性の肛門20前に位置している為、細菌感染を防ぐ。尿取り部10の設計は、若干傾斜している構造であり、主に女性外生殖器位置に合わせ、使用時は人体工学に符合するようになっている。
【００１５】
次に、図１に示すとおり、キャッチ部12は長管状であり、防水、防漏効果のある、例えばポリエチレン(Polyethylene)等材質で作製されている。その内側には予め適量の高分子吸収体30を充填、同時にキャッチ部12管状上縁からキャッチ部12の下層位置まで漏斗状を呈する棉管120を延伸させており、その棉管120は、棉状紙のりにより製作されると同時に毛細管作用を持っている為、尿が導かれる過程において、尿はキャッチ部12下層の高分子吸収体30に有効的に直接流入する。これは、尿量が非常に多い時キャッチ部12上層に尿が集中しすぎて、上層の高分子吸収体30による吸収が間に合わず尿取り部10から漏れる状況を避ける為の設計であり、尿はキャッチ部12内の高分子吸収体30において十分に確実に吸収される。
【００１６】
また、尿取り部10と垂直管状を呈するキャッチ部12間には、鋸歯状を呈する伸縮首部14を設け、その一定範囲における弾性伸縮機能により、尿取り部10に相対するキャッチ部12に弾性調節を加えており、即ち、管状のキャッチ部12は使用時に重力作用によって始終垂直度を保ち、並びに尿取り部10に対し可動して角度調節を行う。これにより使用者の動いている使用環境の下、尿取り器の安定状態を確実に保つことができる。即ち、本発明の車上使用において、傾斜を呈する尿取り部10は女性の生理構造に基づき完全に外生殖器部位に密着し、垂直を呈するキャッチ部12は重力によって下垂、女性の手で握り使用するのに便利なよう設計されている。車走行時の揺れに対しては、前記弾性の伸縮首部14の設計により、キャッチ部12は重力作用を受けて垂直角度を保ち、並びに尿取り部10を女性の生殖器部位に密着させると同時に、当該伸縮首部14は走行の揺れに発生する運動エネルギーを吸収、女性はこの時キャッチ部12を固定して垂直角度で握ることができ、並びに、尿取り部10使用時に生殖器位置を離脱することがなく、使用の安定性と安全性を確保する。
【００１７】
最後に、図１から図４に示すとおり、本発明は、尿取り器の側面に可動式粘着テープ40を設け、その上端には固定端400を、下端には可動端402を設計、固定端400に相対する可動端402は剥がせるようになっている。本発明の特殊設計により、尿取り器使用完了後、尿取り部10を折り畳んで口を密封すると、便利に廃棄できるのと同時に、異臭漏れを避けることができる。折り畳み過程は図２から図４に示すとおりであり、尿取り器を使用完了時、尿取り部10の位置側面が独特の錐状弧線104を形成している為、使用者により尿取り部10の錐状弧線104を、もう一方側の楕円形弧線102方向に押し込むと、錐状弧線104は三角形の角が内側に折り畳まれた形状を成す。押して畳み込む箇所を更に便利にする為に、図４に示すとおり本発明は、錐状弧線104の畳み込み位置に沿って、成形方式により予め折目106をプレスしてあるので、更に素早く簡便に折り畳むことができる。錐状弧線104を押し入れて角を内側に折曲げた三角形を形成した後、尿取り部10口部分は、折り畳んで平らにすることができるので、尿取り部10の口は密封直線になる（図２点線参照）。錐状弧線104を押し込んで折りたたみ形成した角を内側に折曲げた三角形の弧形底縁108は、尿取り部10口を押して平らにすると、尿取り器のキャッチ部12上方の、角度が傾斜した伸縮首部14の開口110を塞ぎ（図６参照）、キャッチ部12内に流入した尿量が過多である場合に起こり得る尿戻り現象を防止する。前述したとおり、尿取り部10口を折り畳んで平らにした後、更に尿取り部10を伸縮首部14位置に沿って尿取り部10の側辺方向に折り返したのと同時に、粘着テープ40下端の可動端402を、もう一端の固定端400を軸として下向きにキャッチ部12の管上に貼り付けると、密封する目的の他、使用後廃棄の体積軽減に役立つ。
【００１８】
前述の円角を呈しひっくり返せる尿取り部縁100は、別に、異なる材質で包み込む、例えば不織布ネット層等材質の包み込みネット層1001を取り付け、これは図７から図１０に示すとおりである。その包み込みネット層1001は、尿取り部10の尿取り部縁100を包み込む他（図７参照）、尿取り部縁100後縁の錐状弧線104箇所から内側、下側に向けて尿取り部10底縁の開口110まで延伸する遮覆層1002を形成（図８及び図９参照）しており、尿取り部10が女性の生殖器部位を被冠する場合、尿取り部縁100を覆い、且つ特殊な柔軟素材である包み込みネット層1001により、女性の外生殖器部位密着時の心地良さを高める。また、当該尿取り部10使用後は、尿取り部10の錐状弧線104に沿って押し込み折り畳んで平らにすると、角を内側に折曲げた三角形が形成され、その畳まれた角の底部である弧形底縁108表面には、包み込み材料の遮覆層1002が設けられている為、尿取り器のキャッチ部12上方の、角度が傾斜した伸縮首部14の開口110を密封する（図１０参照）。よって、本発明は、元来設計にある、開口110が尿の外漏れを防ぐ機能を持つ他、その延伸された遮覆層1002が持つ吸水特性により、開口110から外漏れした尿を更に有効的に吸収且つ阻止する。これにより、本発明は、前述した高分子吸収体30を利用し、尿を吸収、凝結させる機能の他、元来設計である、角を内側に折曲げた弧形底縁108を更に用いており、並びに、尿取り部10を折り畳み平らにした後、粘着定位をひっくり返して尿の外漏れを防ぎ、包み込みネット層1001及び遮覆層1002により開口110位置から外漏れするいかなる尿も吸収且つ阻止するという特徴を持ち、よって本発明は、三つの防御保護層を形成、尿の外漏れを確実に防ぎ、使用においては更に細かな心遣いで、安全性を高める。
【図面の簡単な説明】
【００１９】
【図１】本発明の立体外観図である。
【図２】本発明尿取り部を押して折り畳む作業の見取図である。
【図３】本発明尿取り部を折り返して粘着固定した見取図である。
【図４】本発明の側面表示図である。
【図５】本発明の実施例に関する使用者使用時の位置図である。
【図６】本発明尿取り部を押して折り畳んだ見取図である。
【図７】本発明尿取り部縁の包み込みネット層に関する立体見取図である。
【図８】本発明尿取り部縁の包み込みネット層に関する平面図である。
【図９】本発明尿取り部縁の包み込みネット層に関する側面表示図である。
【図１０】本発明尿取り部縁の包み込みネット層に関する折り畳み見取図である。
【符号の説明】
【００２０】
１０        尿取り部
１００      尿取り部縁
１００１    包み込みネット層
１００２    遮覆層
１０２      楕円形弧線
１０４      錐状弧線
１０６      折目
１０８      弧形底縁
１１０      開口
１２        キャッチ部
１２０      棉管
１４        伸縮首部
２０        肛門
３０        高分子吸収体
４０        粘着テープ
４００      固定端
４０２      可動端
【図１】
2007282665.tif 000003
【図２】
2007282665.tif 000004
【図３】
2007282665.tif 000005
【図４】
2007282665.tif 000006
【図５】
2007282665.tif 000007
【図６】
2007282665.tif 000008
【図７】
2007282665.tif 000009
【図８】
2007282665.tif 000010
【図９】
2007282665.tif 000011
【図１０】
2007282665.tif 000012